(57)【要約】【課題】直観的にレベルを認識できるなど、ユーザー感覚に適したレベル表示を提供する。【解決手段】画像表示を用いたレベル表示であって、低レベルを表す低レベル表示（ふもとレベル表示４−１）、高レベルを表す高レベル表示（登頂レベル表示４−３）、前記低レベルと前記高レベルの間の中間レベルを表す中間レベル表示（途上レベル表示４−２）に共通の固定表示部（背景表示８、山表示１０）とともに切替え表示部（登山者表示１２、段階表示１４−１、１４−２）を含み、該切替え表示部に生じる表示変化で前記低レベル表示、前記中間レベル表示または前記高レベル表示を表す。【選択図】図１
2019174153.tif 000002
【特許請求の範囲】
【請求項１】
画像表示を用いたレベル表示であって、
低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を表すことを特徴とするレベル表示。
【請求項２】
前記固定表示部に斜面部を含む山表示を備え、かつ前記切替え表示部に前記山表示の前記斜面部を登る登山者表示、該登山者表示の移動を表す段階表示を備え、前記山表示に対する前記登山者表示および前記段階表示の位置を以てレベルを表示することを特徴とする請求項１に記載のレベル表示。
【請求項３】
コンピュータで実現するためのプログラムであって、
画像を表示する機能と、
低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を生成する機能と、
を前記コンピュータにより実現するためのプログラム。
【請求項４】
レベル表示を含むリモコン装置であって、
画像を表示する画像表示部と、
低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を表す画像表示と、
を含むことを特徴とするリモコン装置。
【請求項５】
前記固定表示部は、前記切替え表示部と峻別される背景画像または固定画像であることを特徴とする請求項４に記載のリモコン装置。
【請求項６】
前記切替え表示部は、複数の固定表示または数値表示の何れかまたは双方を含むことを特徴とする請求項４に記載のリモコン装置。
【発明の詳細な説明】
【技術分野】
【０００１】
本発明はたとえば、水位や温度などのレベルの表示技術およびその利用に関する。
【背景技術】
【０００２】
ふろ給湯装置では浴室内などにリモコン装置が備えられ、このリモコン装置の表示部には水位や湯温などが表示される。その表示は現在状態を表し、達成状態や入浴可能かなどの判断に利用される。
このリモコン装置の表示に関し、消費すべき目標エネルギーと実際の消費エネルギーとから達成レベルを算出し、達成レベルに応じた表示パターンを表示することが知られている（たとえば、特許文献１）。
このリモコン表示について、現在情報と設定値情報との比較により、到達度合いを表す出力情報を数値で表すことが知られている（たとえば、特許文献２）。
【先行技術文献】
【特許文献】
【０００３】
【特許文献１】特開２０１１−１６６５０４号公報
【特許文献２】特開２０１６−２０５７２７号公報
【発明の概要】
【発明が解決しようとする課題】
【０００４】
ところで、温度などの状態推移を表示する場合、状態を表す数値などを詳細に表示すれば、提供情報が精緻化されることは、情報量が多くなる反面、ユーザーにすれば、判読しがたいし、確認が面倒であるなどの課題がある。ユーザーが真に知りたい情報は精緻な数値情報ではなく、概算的な情報であればよい。その表示が水位であれば、十分である、少ない、入浴には適さないなどの感覚的であればよい。数値表示が正確な値を示していても、直観的に水位の状態を知ることができない、水位表示がユーザー感覚との間にずれがあると却って表示が曖昧であるなどの課題がある。
【０００５】
そこで、本発明の目的は上記課題に鑑み、直観的にレベルを認識できるなど、ユーザー感覚に適したレベル表示を提供することにある。
【課題を解決するための手段】
【０００６】
上記目的を達成するため、本発明のレベル表示の一側面によれば、画像表示を用いたレベル表示であって、低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を表す。
このレベル表示において、前記固定表示部に斜面部を含む山表示を備え、かつ前記切替え表示部に前記山表示の前記斜面部を登る登山者表示、該登山者表示の移動を表す段階表示を備え、前記山表示に対する前記登山者表示および前記段階表示の位置を以てレベルを表示してよい。
【０００７】
上記目的を達成するため、本発明のプログラムの一側面によれば、コンピュータで実現するためのプログラムであって、画像を表示する機能と、低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を生成する機能とを前記コンピュータにより実現する。
【０００８】
上記目的を達成するため、本発明のリモコン装置の一側面によれば、レベル表示を含むリモコン装置であって、画像を表示する画像表示部と、低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を表す画像表示を含む。
このリモコン装置において、前記固定表示部は、前記切替え表示部と峻別される背景画像または固定画像であればよい。
このリモコン装置において、前記切替え表示部は、複数の固定表示または数値表示の何れかまたは双方を含んでよい。
【発明の効果】
【０００９】
本発明によれば、次のいずれかの効果が得られる。
【００１０】
(1) 固定表示部を視覚の認識基準として切替え表示部の表示変化からレベル表示を容易に認識してレベルを感じ取ることができ、ユーザーが直観的にたとえば、現在の状態や状態変化を認識できる。
(2) 切替え表示からたとえば、レベルのトレンドを容易に感得でき、レベル表示からユーザーがたとえば、最適状態への到達を容易に予測することができる。
【図面の簡単な説明】
【００１１】
【図１】Ａは一実施の形態に係る最低レベル表示を示す図、Ｂは一実施の形態に係る中間レベル表示を示す図、Ｃは一実施の形態に係る最高レベル表示を示すである。
【図２】Ａは山表示を説明するための図、Ｂは背景表示から抜き山表示を説明するための図である。
【図３】Ａは固定表示部を説明するための図、ＢないしＦは切替え表示部を説明するための図である。
【図４】レベル表示の処理手順を示すフローチャートである。
【図５】実施例１に係るふろ給湯システムを示す図である。
【図６】リモコン装置を示す図である。
【図７】Ａはリモコン装置の前面パネル部を示す図、Ｂはリモコン表示を示す図である。
【図８】Ａは到達表示を示す図、Ｂは到達前の８０〔％〕以上〜１００〔％〕未満の状態表示を示す図、Ｃは到達前の６０〔％〕以上〜８０〔％〕未満の状態表示を示す図、Ｄは到達前の４０〔％〕以上〜６０〔％〕未満の状態表示を示す図、Ｅは到達前の２０〔％〕以上〜４０〔％〕未満の状態表示を示す図、Ｆは到達前の２０〔％〕未満の状態表示を示す図である。
【図９】実施例１に係る状態表示の処理手順を示すフローチャートである。
【図１０】実施例２に係る表示パターンを示す図である。
【図１１】実施例３に係るリモコン装置の表示画面部の表示を示す図である。
【発明を実施するための形態】
【００１２】
＜レベル表示＞
図１のＡ、Ｂ、Ｃは一実施の形態に係るレベル表示の一例を示している。図１に示す構成は一例であり、斯かる構成に本発明が限定されるものではない。
このレベル表示２にはふもとレベル表示４−１、途上レベル表示４−２、登頂レベル表示４−３が含まれる。ふもとレベル表示４−１は低レベル表示の一例であり、途上レベル表示４−２は中間レベル表示の一例であり、また、登頂レベル表示４−３は高レベル表示の一例である。
レベル表示２にはたとえば、複数の画素で画像を表示する画面表示部６が用いられる。図１のＡに示すように、ふもとレベル表示４−１では背景表示８、山表示１０、登山者表示１２、第１の段階表示１４−１が含まれる。
登山者表示１２には頭部１６、胴部１８、腕部２０、脚部２２が含まれる。ふもとレベル表示４−１では登山者表示１２は正面向き表示である。
段階表示１４−１は登山者表示１２の出発点が山のふもとにあることを表す抜き文字の一例として「ふもと」が表示される。「ふもと」は最低レベルを示唆しており、最低レベル表示であれば「ふもと」なる表示に限定されない。
【００１３】
図１のＢは中間レベル表示を示し、この途上レベル表示４−２は最低レベルと最高レベルの間にある中間レベルを表示する。この途上レベル表示４−２には、背景表示８、山表示１０、登山者表示１２、段階表示１４−１および第２の段階表示１４−２が含まれる。
登山者表示１２は山表示１０の斜面を移動しているところ、胴部１８、腕部２０および脚部２２は移動を表す態様表示である。この場合、登山者表示１２はレベルに応じた高度へ移動させる。
段階表示１４−１は、登山者表示１２の中間点のレベルを表す抜き文字「４合目」を表示している。段階表示１４−２には複数のたとえば、２〜４個の段階表示２４が含まれる。各段階表示２４は登山者表示１２の位置に対応し、異なる着色、明度、彩度または輝度で表し、レベルの変化を明示する。
【００１４】
図１のＣは登頂レベル表示を示し、この登頂レベル表示４−３は高レベル表示の一例である。この登頂レベル表示４−３では、背景表示８、山表示１０、登山者表示１２、段階表示１４−１、太陽表示２８が含まれる。段階表示１４−１には登頂レベルを表す抜き文字「登頂」および「！」を表示している。
登山者表示１２は山表示１０の頂部に移動し、正面向きで胴部１８、腕部２０および脚部２２が登頂を感嘆し、風で旗めく様の手旗表示３０が表示される。同時に、背景表示８には到達を顕彰する到達表示として太陽表示２８およびその太陽光線表示が表示される。
【００１５】
＜レベル表示２における固定表示部＞
図２のＡは、レベル表示２における山表示１０の各部を示している。この山表示１０は、レベル表示２における固定表示部の一例である。この固定表示部とは、レベルの変化や推移で影響を受けることなく固定状態に表示される表示領域である。
この山表示１０は、富士山を彷彿とさせる山形状表示として、画面表示部６のやや右寄りに頂部を配した台形状であり、頂部３２、稜線部３４、３６、雪冠部３８および斜面部４０が備えられる。
図２のＢは、レベル表示２における背景および斜面部４０の表示態様を示している。この山表示１０では、背景表示８および斜面部４０を共通の着色表示とし、頂部３２、稜線部３４、３６および雪冠部３８をたとえば、白抜き表示としている。
【００１６】
＜レベル表示２における切替え表示部＞
図３は、レベル表示２の切替え表示部の表示変化を示している。図３において、図１および図２と同一部分には同一符号を付してある。
レベル表示２において、図中、背景表示８や破線で示す山表示１０が静止ないし固定状態であるのに対し、登山者表示１２、段階表示１４−１、１４−２、登山者表示１２の頭部１６、胴部１８、腕部２０、脚部２２、太陽表示２８、手旗表示３０が動的な変化を呈する切替え表示である。これらは、レベル段階で変化しまたは該当レベルで突如現れる表示である。
【００１７】
このレベル表示において、Ａは低レベル表示の一例であるふもとレベル表示４−１、Ｂは中間レベル表示の一例である途上レベル表示４−２１（２合目表示）、Ｃは中間レベル表示の一例である途上レベル表示４−２２（４合目表示）、Ｄは中間レベル表示の一例である途上レベル表示４−２３（６合目表示）、Ｅは中間レベル表示の一例である途上レベル表示４−２４（８合目表示）、Ｆは高レベル表示の一例である登頂レベル表示４−３（登頂表示）を示している。
なお、低レベル、高レベルおよび中間レベルは、レベルの相対的な関係であり、中間レベル表示のうち高レベル側を高レベル表示、低レベル側を低レベル表示とし、その中間を中間レベル表示としてよい。
【００１８】
＜レベル表示２の処理手順＞
図４はレベル表示２の処理手順を示している。この処理手順は動的な画像表示機能を備える表示素子をコンピュータ制御によって実現すればよい。
この処理手順では、固定表示部および切替え表示部を含むレベル表示情報を生成する（Ｓ１０１）。このレベル表示情報において、切替え表示部を変化させて低レベルを表す低レベル表示情報、切替え表示部を変化させて高レベルを表す高レベル表示情報、切替え表示部を変化させて中間レベルを表す単一または複数の中間レベル表示情報を生成する（Ｓ１０２）。
【００１９】
レベル情報とレベル表示情報を対比して表示レベルを判断し（Ｓ１０３）、既述のレベル表示情報から低レベル表示情報、中間レベル表示情報または高レベル表示情報を選択する（Ｓ１０４）。この結果、低レベル表示、中間レベル表示または高レベル表示の何れかのレベル表示をし、または現状のレベル表示から異なるレベル表示に変更する（Ｓ１０５）。この場合、中間レベル表示中のレベルの異なる複数のレベル表示情報を備えてもよく、その場合にはレベル情報に応じて該当するレベル表示を選択すればよい。
【００２０】
＜一実施の形態の効果＞
この一実施の形態によれば、次の効果が得られる。
(1) 固定表示部と切替え表示部とが対比され、切替え表示部の変化を以てレベル変化を認識させることができる。
(2) 斯かるレベル表示では、直観的且つ感覚的にレベルを感得でき、ユーザーの認識に訴えるレベル表示を提供できる。
【実施例１】
【００２１】
＜ふろ給湯システム＞
図５は、実施例１に係るふろ給湯システムを示している。図５に示す構成は一例であり、斯かる構成に本発明が限定されるものではない。このふろ給湯システムはたとえば、一般的なふろ給湯装置を構成する。
この給湯システム５０には、熱源機５２およびリモコン装置５４が備えられる。熱源機５２は、燃料ガスＧを燃焼させて得られる燃焼熱を上水に熱交換して得られる温水の浴槽５６への給湯、一般給湯などの給湯機能、浴槽５６の浴槽水ＢＷを燃焼熱で加熱するいわゆる追焚き機能などが備えられる。熱源機５２の上水加熱で生成される温水を暖房に用いてもよい。
【００２２】
この熱源機５２には熱源機制御部５８が備えられ、この熱源機制御部５８には有線または無線によりリモコン装置５４が接続される。このリモコン装置５４には浴室に設置される浴室リモコン、台所に設置される台所リモコンが含まれる。このリモコン装置５４ではリモコン制御部６０および情報表示部６２が備えられる。リモコン制御部６０は、熱源機制御部５８と連係し、熱源機５２の給湯制御、追焚き制御などの制御に用いられるとともに、情報表示部６２の表示制御を行う。
【００２３】
図６は、給湯システム５０のシステム構成を示している。リモコン制御部６０には入力部６４が接続され、この入力部６４から設定情報が入力される。この設定情報には浴槽水ＢＷの設定温度や設定レベルなどが含まれる。
リモコン制御部６０には情報取込み部６６、記憶部６８、演算部７０、表示制御部７２が含まれる。
情報取込み部６６は、熱源機５２から現在の動作情報状態を表すレベル情報としてたとえば、水位情報などが取り込まれる。入力部６４にはタッチパネルやスイッチが備えられ、設定レベル情報などが入力される。
【００２４】
記憶部６８はＲＯＭ（Read-Only Memory）、ＲＡＭ（Random-Access Memory）、ＥＥＰＲＯＭ（Electrically Erasable Programmable Read-Only Memory ）などの記憶素子を備え、プログラムや既述の設定情報などが格納される。この設定情報には、設定レベルやレベル表示情報などが含まれる。
演算部７０は、設定情報と情報取込み部６６からのレベル情報とを比較し、レベル情報の到達度合いとしてたとえば、目標達成率などを演算し、この目標達成率に応じた表示情報を算出する。
表示制御部７２では、予め生成に係るたとえば、記憶部６８に格納しているレベル表示情報から該当するレベル表示情報を選択し、情報表示部６２に提供する。
情報表示部６２には画像表示手段としてたとえば、ＬＣＤ（Liquid Crystal Display）が備えられ、既述のレベル表示が行われる。
【００２５】
＜リモコン装置５４の前面パネル部＞
図７のＡはリモコン装置５４の前面パネル部を示している。この前面パネル部７４の中央上部には表示画面部７６が備えられ、この表示画面部７６を以て既述のレベル表示が行われる。この表示画面部７６にはタッチセンサ７８が備えられる。このタッチセンサ７８は入力部６４に含まれ、ダイヤログなどの選択入力などの入力操作に用いられる。
この表示画面部７６の下側には、スピーカ８０の放音孔８２、通話ボタン８４および動作表示部８６、電源スイッチ８８が備えられる。
【００２６】
＜画面表示＞
図７のＢは表示画面部７６に現れる画面表示を示している。この画面表示９０には床暖房表示９０−１、ふろ設定表示９０−２、メニュー表示９０−３、ふろ自動表示９０−４が含まれる。これら床暖房表示９０−１、ふろ設定表示９０−２、メニュー表示９０−３、ふろ自動表示９０−４の選択のため、画面表示９０の下部にはインデックス部９２が備えられる。また、画面表示９０の上部には共通に現在時点の日時を表す時間表示部９３が備えられる。
ふろ自動表示９０−４にはお湯張り中表示９４が含まれる。このお湯張り中表示９４では、タイトル表示部９６、ふろ表示部９８、水位表示部１００、給湯温度表示部１０２が備えられる。タイトル表示部９６にはお湯張り中表示９４を表すタイトルとしてたとえば、「お湯張り中」が表示される。
ふろ表示部９８には浴槽イラスト、浴槽温度、浴槽水レベルの各表示が含まれる。水位表示部１００には水位を表すタイトル表示とともに、既述のレベル表示２（図１〜図３）が用いられている。
給湯温度表示部１０２には温度昇降指示ボタン、給湯温度、給湯モード、優先モード、燃焼表示などが含まれる。
【００２７】
＜達成率表示パターン＞
図８は、達成率表示パターンを示している。この達成率表示パターンには複数の段階的表示として、達成率１００〔％〕以上を表す表示、達成率８０〔％〕以上〜１００〔％〕未満を表す表示、達成率６０〔％〕以上〜８０〔％〕未満を表す表示、達成率４０〔％〕以上〜６０〔％〕未満を表す表示、達成率２０〔％〕以上〜４０〔％〕未満を表す表示、達成率２０〔％〕未満を表す表示が含まれる。
Ａは達成率１００〔％〕以上を表す登頂表示パターン、Ｂは達成率８０〔％〕以上〜１００〔％〕未満を表す８合目表示パターン、Ｃは達成率６０〔％〕以上〜８０〔％〕未満を表す６合目表示パターン、Ｄは達成率４０〔％〕以上〜６０〔％〕未満を表す４合目表示パターン、Ｅは達成率２０〔％〕以上〜４０〔％〕未満を表す２合目表示パターン、Ｆは達成率２０〔％〕未満を表すふもと表示パターンを示している。
【００２８】
＜達成率表示の処理手順＞
図９は達成率表示の処理手順を示している。この処理手順では、リモコン制御部６０が初期設定の後、動作中の熱源機５２から動作情報を取得する（Ｓ２０１）。リモコン制御部６０は取得した動作情報から現在情報を抽出する（Ｓ２０２）。
リモコン制御部６０の演算部７０は、現在情報と設定（目標）情報とを比較し（Ｓ２０３）、設定情報と現在情報を用いて達成率を算出する（Ｓ２０４）。この達成率は、設定情報に対する現在情報の到達度合いを表す数値情報である。
この達成率について、達成率と符合する表示パターンを選択し情報表示部６２に提供し、その表示パターンを表示する（Ｓ２０５）。
この処理手順では、動作情報を継続的に取得し、表示内容を更新すればよい。
【００２９】
＜実施例１の効果＞
この実施例１によれば、次の効果が得られる。
(1) ふろ給湯装置などに接続されるリモコン装置の表示に活用できる。
(2) リモコン装置５４ではふろ給湯装置などの動作設定とともに、動作状態の表示を行うことができる。
(3) この状態表示は、加熱動作の稼働状況表示、設定温度表示などを行うことができ、自動運転での浴槽湯張り動作時、その進捗状況表示に利用でき、リモコン表示の利便性を高めることができる。
(4) 進捗状況表示について、その段階表示として最終段階を１００〔％〕、達成度合いや〔％〕表示などの表示、棒グラフ表示が可能であるが、実施例１では、山（富士山）表示１０に登山者表示１２を加え、進捗状況を複数の切替え表示を以て実現しており、ユーザーに直観的かつ感覚的に現在状況を認識させることができる。
(5) 実施例１では進捗状況として目標値に対する達成度を『ふもと』、『２合目』、『４合目』、『６合目』、『８合目』、『登頂！』の複数段階表示とし、達成度が『ふもと』表示では２０〔％〕未満、『２合目』表示では２０〔％〕以上４０〔％〕未満、『４合目』表示では４０〔％〕以上６０〔％〕未満、『６合目』表示では６０〔％〕以上８０〔％〕未満、『８合目』表示では８０〔％〕以上１００〔％〕未満、『登頂！』表示では１００〔％〕以上を表し、固定表示部と切替え表示部の組み合わせの段階変化を含むイラスト表示で実現し、認識し易い表示を提供できる。
(6) このリモコン表示は台所リモコンまたは浴室リモコンの何れに使用してよく、入浴者などに感覚に沿った湯張り中などの表示を提供できる。
【実施例２】
【００３０】
図１０は、実施例２に係るリモコン表示を示している。図１０において、図８と同一部分には同一符号を付してある。
実施例１では水位表示にレベル表示を利用したが、実施例２では目標達成度、節約達成度、使用実績などの評価値に符合する表示パターンを設定してよい。
この表示パターンでは、リモコン装置５４がガス、お湯（水）、電気などの利用状況を表示する機能を備えた場合には、使用量、使用料金の目標値を設定し、使用量の推移や目標値の達成状況たとえば、節約、使い過ぎなどを表示することができる。
【００３１】
＜実施例２の効果＞
この実施例２によれば、次の効果が得られる。
(1) ガス使用量やお湯使用量は、熱源機５２の使用量であり、リモコン制御部６０をガスメーターや電力メーターなどに接続すれば、電気、ガス、水道などのエネルギー利用状況を確認することができる。
(2) 目標達成度やグラフ表示などの規格を実現するため、節約達成度を算出する計算式を設定すれば、その達成度に符合するレベル表示を実現できる。
【実施例３】
【００３２】
図１１は実施例３に係る表示画面部７６の画面表示を示している。この画面表示１０４にはガス表示１０４−１、電力表示１０４−２、お湯表示１０４−３、光熱費表示１０４−４が含まれる。これらガス表示１０４−１、電力表示１０４−２、お湯表示１０４−３または光熱費表示１０４−４の選択のため、画面表示１０４の上部にはインデックス部１０６が備えられる。
ガス表示１０４−１には、目標値表示部１０８、達成度表示部１１０および戻るボタン部１１２が含まれる。
目標値表示部１０８にはタイトルとして「ガス／目標値（％）」が表示されるとともに、スケールおよび棒グラフが表示されている。棒グラフの先端がスケール上で目標達成度を示している。
達成度表示部１１０にはレベル表示部１１４、数値表示部１１６が含まれる。レベル表示部１１４には既述のレベル表示２（図１〜図３）が用いられている。数値表示部１１６には目標値に対する評価表示として、「目標達成度」の表示とともに数値（％）が表示されている。
戻るボタン部１１２はガス表示１０４−１から前表示画面の表示に戻る際のタッチ入力操作に用いられる。
【００３３】
＜実施例３の効果＞
このような表示画面を備えた場合にも達成度などの評価表示に既述のレベル表示２を利用でき、ユーザーに達成度などの状況を直観的且つ感覚的に認識させることができる。
【００３４】
〔他の実施の形態〕
【００３５】
(1) 実施例１では、設定浴槽水位に対する水位の達成度を表示しているが、このような水位表示に限らず、設定注湯量に対する注湯量状態の表示をしてもよいし、自動湯張りモードにおいて、湯張りの経過時間を設定時間に対する到達度として表示してもよい。
(2) 実施例１〜３ではリモコン装置のレベル表示を例示したが、本発明のレベル表示はリモコン以外の計測器や制御機器の表示に用いてもよい。
以上説明したように、レベル表示やリモコン装置の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００３６】
本発明によれば、固定表示および切替え表示を含むレベル表示を生成し、切替え表示をレベルによって変化させ、ユーザーに状態や達成度などのレベル変化を容易かつ直観的に認識させることができる。
【符号の説明】
【００３７】
２  レベル表示
４−１  ふもとレベル表示
４−２  途上レベル表示
４−３  登頂レベル表示
６  画面表示部
８  背景表示
１０  山表示
１２  登山者表示
１４−１  第１の段階表示
１４−２  第２の段階表示
１４−２１、１４−２２、１４−２３、１４−２４  途上レベル表示
１６  頭部
１８  胴部
２０  腕部
２２  脚部
２４  段階表示
２８  太陽表示
３０  手旗表示
３２  頂部
３４、３６  稜線部
３８  雪冠部
４０  斜面部
５０  給湯システム
５２  熱源機
５４  リモコン装置
５６  浴槽
５８  熱源機制御部
６０  リモコン制御部
６２  情報表示部
６４  入力部
６６  情報取込み部
６８  記憶部
７０  演算部
７２  表示制御部
７４  前面パネル部
７６  表示画面部
７８  タッチセンサ
８０  スピーカ
８２  放音孔
８４  通話ボタン
８６  動作表示部
８８  電源スイッチ
９０  画面表示
９０−１  床暖房表示
９０−２  ふろ設定表示
９０−３  メニュー表示
９０−４  ふろ自動表示
９２  インデックス部
９４  お湯張り中表示
９６  タイトル表示部
９８  ふろ表示部
１００  水位表示部
１０２  給湯温度表示部
１０４  画面表示
１０４−１  ガス表示
１０４−２  電力表示
１０４−３  お湯表示
１０４−４  光熱費表示
１０６  インデックス部
１０８  目標値表示部
１１０  達成度表示部
１１２  戻るボタン部
１１４  レベル表示部
１１６  数値表示部
【図１】
2019174153.tif 000003
【図２】
2019174153.tif 000004
【図３】
2019174153.tif 000005
【図４】
2019174153.tif 000006
【図５】
2019174153.tif 000007
【図６】
2019174153.tif 000008
【図７】
2019174153.tif 000009
【図８】
2019174153.tif 000010
【図９】
2019174153.tif 000011
【図１０】
2019174153.tif 000012
【図１１】
2019174153.tif 000013